(57)【要約】【課題】組立性の向上に貢献する構造を有する内刃ユニット、およびこの内刃ユニットを有する電気かみそりを提供する。【解決手段】内刃ユニットは、内刃および内刃継手部品を有する。内刃継手部品は、継手本体部および継手振動部７０を有する。継手振動部７０は、振動部本体部７１および刃片用結合部１００を有する。刃片用結合部１００は、振動部本体部７１と一体的に形成され、第１刃片対向面１１１および第２刃片対向面１２１を有する。第１刃片対向面１１１は、第１対向面接触部１１２および第１対向面離間部１１３を有する。第２刃片対向面１２１は、第２対向面接触部１２２および第２対向面離間部１２３を有する。第１対向面離間部１１３は、内刃奥行方向ＤＸにおいて第１対向面接触部１１２に並べて形成されている。第２対向面離間部１２３は、内刃奥行方向ＤＸにおいて第２対向面接触部１２２に並べて形成されている。【選択図】図８
2014108161.tif 000002
【特許請求の範囲】
【請求項１】
電気かみそりの内刃ユニットであって、
前記内刃ユニットは、内刃および内刃継手部品を有し、
前記内刃は、内刃本体部および複数の刃片を有し、
前記内刃継手部品は、継手本体部および継手振動部を有し、
前記継手本体部は、前記内刃本体部と結合され、
前記継手振動部は、振動部本体部および刃片用結合部を有し、前記振動部本体部において前記継手本体部に結合され、前記刃片用結合部において前記刃片に結合され、
前記振動部本体部は、前記刃片の弾性変形に応じて弾性変形し、
前記刃片用結合部は、前記振動部本体部と結合され、第１刃片対向面および第２刃片対向面を有し、前記第１刃片対向面および前記第２刃片対向面により前記刃片を挟み込むことにより前記刃片と結合し、
前記第１刃片対向面および前記第２刃片対向面の少なくとも一方は、前記刃片に接触する対向面接触部、および前記刃片に接触しない対向面離間部を有し、
前記対向面離間部は、前記内刃ユニットの奥行方向において前記対向面接触部に並べて形成されている
内刃ユニット。
【請求項２】
前記第１刃片対向面は、前記対向面接触部としての第１対向面接触部、および前記対向面離間部としての第１対向面離間部を有し、
前記第１対向面接触部は、前記第１刃片対向面のうちの前記奥行方向の中間部分に形成され、
前記第１対向面離間部は、前記第１刃片対向面のうちの前記奥行方向の両端部分に形成されている
請求項１に記載の内刃ユニット。
【請求項３】
前記第２刃片対向面は、前記対向面接触部としての第２対向面接触部、および前記対向面離間部としての第２対向面離間部を有し、
前記第２対向面接触部は、前記第２刃片対向面のうちの前記奥行方向の中間部分に形成され、
前記第２対向面離間部は、前記第２刃片対向面のうちの前記奥行方向の両端部分に形成されている
請求項１または２に記載の内刃ユニット。
【請求項４】
前記第１刃片対向面および前記第２刃片対向面は、前記奥行方向において少なくとも一部分が重なり合う
請求項１〜３のいずれか一項に記載の内刃ユニット。
【請求項５】
前記第１刃片対向面および前記第２刃片対向面の少なくとも一方は、前記刃片に向けて突出した曲面形状を有し、前記対向面接触部が最も突出している
請求項１〜４のいずれか一項に記載の内刃ユニット。
【請求項６】
前記対向面接触部の面積は、前記対向面離間部の面積よりも小さい
請求項１〜５のいずれか一項に記載の内刃ユニット。
【請求項７】
請求項１〜６のいずれか一項に記載の内刃ユニットを有する電気かみそり。
【発明の詳細な説明】
【技術分野】
【０００１】
本発明は、内刃ユニット、およびこの内刃ユニットを有する電気かみそりに関する。
【背景技術】
【０００２】
特許文献１は、従来の内刃ユニットの一例を開示している。
図１９は、特許文献１の内刃ユニット９００の分解斜視構造を示す。
内刃ユニット９００は、内刃９１０および内刃継手部品９２０を有する。内刃９１０は、内刃本体部９１１および複数の刃片９１２を有する。内刃継手部品９２０は、継手本体部９２１および複数の継手振動部９２２を有する。継手本体部９２１は、内刃本体部９１１と結合される。継手振動部９２２は、振動部本体部９２３および刃片用結合部９２４を有する。
【０００３】
図２０は、内刃ユニット９００の模式的な平面構造を示す。
継手振動部９２２は、振動部本体部９２３において継手本体部９２１に結合される。継手振動部９２２は、刃片用結合部９２４において刃片９１２に結合される。振動部本体部９２３は、継手本体部９２１と一体的に形成される。刃片用結合部９２４は、振動部本体部９２３と一体的に形成される。刃片用結合部９２４は、第１刃片対向面９２５および第２刃片対向面９２６を有する。刃片用結合部９２４は、第１刃片対向面９２５および第２刃片対向面９２６により刃片９１２を挟み込むことにより刃片９１２と結合する。
【０００４】
特許文献１の電気かみそりは、駆動部、外刃ユニット、および内刃ユニット９００を有する。なお、図１９および図２０は、電気かみそり、駆動部、および外刃ユニットを省略している。
【０００５】
駆動部は、内刃ユニット９００を外刃ユニットに対して往復運動させる。内刃ユニット９００は、往復運動することにより、外刃ユニットの外刃孔を介して導入された毛を切断する。刃片９１２は、外刃ユニットの外刃と協働して毛を挟み込むことにより弾性変形する。刃片９１２は、毛を切断したとき、復元力により弾性変形する。振動部本体部９２３は、刃片９１２の弾性変形に応じて弾性変形することにより振動する。振動部本体部９２３は、振動することにより音を発生する。このように、特許文献１の電気かみそりは、毛を切断したとき、振動部本体部９２３により音を発生する。
【先行技術文献】
【特許文献】
【０００６】
【特許文献１】特許第４５９５９６８号
【発明の概要】
【発明が解決しようとする課題】
【０００７】
本願発明者は、内刃ユニット９００が次の課題を含むことを見出した。
刃片９１２は、加工誤差を持つことがある。刃片９１２が加工誤差を持つ場合、刃片９１２の部位毎に刃片９１２の形状が異なる。そして、加工誤差に起因して、刃片９１２の形状が刃片用結合部９２４への嵌め込みに好ましい適正形状と異なる場合、内刃ユニット９００の組立工程において、刃片９１２を第１刃片対向面９２５および第２刃片対向面９２６の間に嵌め込むときの抵抗が大きくなる。このため、作業効率が低下する。
【０００８】
本発明は、以上の背景をもとに創作されたものであり、組立性の向上に貢献する構造を有する内刃ユニット、およびこの内刃ユニットを有する電気かみそりを提供することを目的とする。
【課題を解決するための手段】
【０００９】
（１）本手段の一形態は、「電気かみそりの内刃ユニットであって、前記内刃ユニットは、内刃および内刃継手部品を有し、前記内刃は、内刃本体部および複数の刃片を有し、前記内刃継手部品は、継手本体部および継手振動部を有し、前記継手本体部は、前記内刃本体部と結合され、前記継手振動部は、振動部本体部および刃片用結合部を有し、前記振動部本体部において前記継手本体部に結合され、前記刃片用結合部において前記刃片に結合され、前記振動部本体部は、前記刃片の弾性変形に応じて弾性変形し、前記刃片用結合部は、前記振動部本体部と結合され、第１刃片対向面および第２刃片対向面を有し、前記第１刃片対向面および前記第２刃片対向面により前記刃片を挟み込むことにより前記刃片と結合し、前記第１刃片対向面および前記第２刃片対向面の少なくとも一方は、前記刃片に接触する対向面接触部、および前記刃片に接触しない対向面離間部を有し、前記対向面離間部は、前記内刃ユニットの奥行方向において前記対向面接触部に並べて形成されている内刃ユニット」を含む。
【００１０】
本内刃ユニットは、比較対象の内刃ユニットと比較して、組立性の向上に貢献する。その理由を以下に示す。なお、以下の説明における異形刃片の用語は、刃片用結合部への組み付け部分に異形部分が存在している刃片を示す。また、異形部分は、製造された刃片において、刃片の適正形状と相違する部分を示す。また、以下の説明における適正関係の用語は、内刃継手部品および適正形状の刃片が有する関係を示す。
【００１１】
比較対象の内刃ユニットは、比較対象の内刃継手部品を有する。比較対象の内刃継手部品は、各刃片対向面に対向面離間部を有していない。異形刃片は、比較対象の内刃継手部品における刃片対向面との関係が適正関係と異なる。このため、比較対象の内刃継手部品および異形刃片を互いに結合する作業が行われる場合、異形刃片が刃片用結合部に嵌め込まれるときに大きな抵抗が生じる。または、異形刃片を刃片用結合部に嵌め込むことができない。このため、比較対象の内刃ユニットの組立性が著しく低下する。
【００１２】
一方、本内刃ユニットの内刃継手部品は、各刃片対向面の少なくとも一方に対向面離間部を有する。このため、内刃継手部品および異形刃片を互いに結合する作業が行われる場合、内刃継手部品および異形刃片の関係における適正関係との相違部分が、各刃片対向面の少なくとも一方の対向面離間部により吸収される可能性が生じる。このため、本内刃ユニットは、比較対象の内刃ユニットと比較して、内刃および内刃継手部品の組立性を向上させることに貢献する。
【００１３】
なお、対向面離間部は、内刃が組み付けられていない内刃継手部品において、刃片用結合部および異形刃片の結合に関する作業性を向上させることを意図して形成される構造を示す。すなわち、対向面離間部の定義は、完成した内刃ユニットにおいて、対向面離間部が刃片と非接触の関係を有することを含まない。
【００１４】
（２）上記手段の一形態は、「前記第１刃片対向面は、前記対向面接触部としての第１対向面接触部、および前記対向面離間部としての第１対向面離間部を有し、前記第１対向面接触部は、前記第１刃片対向面のうちの前記奥行方向の中間部分に形成され、前記第１対向面離間部は、前記第１刃片対向面のうちの前記奥行方向の両端部分に形成されている内刃ユニット」を含む。
【００１５】
（３）上記手段の一形態は、「前記第２刃片対向面は、前記対向面接触部としての第２対向面接触部、および前記対向面離間部としての第２対向面離間部を有し、前記第２対向面接触部は、前記第２刃片対向面のうちの前記奥行方向の中間部分に形成され、前記第２対向面離間部は、前記第２刃片対向面のうちの前記奥行方向の両端部分に形成されている内刃ユニット」を含む。
【００１６】
（４）上記手段の一形態は、「前記第１刃片対向面および前記第２刃片対向面は、前記奥行方向において少なくとも一部分が重なり合う内刃ユニット」を含む。
（５）上記手段の一形態は、「前記第１刃片対向面および前記第２刃片対向面の少なくとも一方は、前記刃片に向けて突出した曲面形状を有し、前記対向面接触部が最も突出している内刃ユニット」を含む。
【００１７】
（６）上記手段の一形態は、「前記対向面接触部の面積は、前記対向面離間部の面積よりも小さい内刃ユニット」を含む。
（７）本手段の一形態は、「前記内刃ユニットを有する電気かみそり」を含む。
【発明の効果】
【００１８】
本内刃ユニットおよび本電気かみそりは、組立性の向上に貢献することができる。
【図面の簡単な説明】
【００１９】
【図１】第１実施形態の電気かみそりの分解斜視図。
【図２】第１実施形態の内刃ユニットの分解斜視図。
【図３】第１実施形態の内刃ユニットの正面図。
【図４】第１実施形態の内刃ユニットに関する図であって、図６のＸＢ−ＸＢ線において破断された内刃ユニットの断面図。
【図５】第１実施形態の内刃ユニットに関する図であって、図４の断面図の一部の拡大構造を示す断面図。
【図６】第１実施形態の内刃ユニットに関する図であって、図３のＸＡ−ＸＡ線において破断された内刃ユニットの断面図。
【図７】第１実施形態の継手振動部の側面図。
【図８】第１実施形態の継手振動部の平面図。
【図９】第１実施形態の継手振動部に関する図であって、図８のＸＣ−ＸＣ線において破断された継手振動部の断面図。
【図１０】第１実施形態の継手振動部に関する図であって、図８のＸＤ−ＸＤ線において破断された継手振動部の断面図。
【図１１】第２実施形態の継手振動部の平面図。
【図１２】第３実施形態の継手振動部の平面図。
【図１３】第４実施形態の継手振動部の平面図。
【図１４】第５実施形態の継手振動部の平面図。
【図１５】第６実施形態の継手振動部の平面図。
【図１６】第７実施形態の継手振動部の平面図。
【図１７】第８実施形態の継手振動部に関する図であって、図８のＸＣ−ＸＣ線と同位置において破断された継手振動部の断面図。
【図１８】第８実施形態の継手振動部に関する図であって、図８のＸＤ−ＸＤ線と同位置において破断された継手振動部の断面図。
【図１９】従来の内刃ユニットの分解斜視図。
【図２０】従来の内刃ユニットの模式的な平面図。
【発明を実施するための形態】
【００２０】
（第１実施形態）
図１を参照して、電気かみそり１の構成について説明する。
電気かみそり１は、かみそり本体１０、外刃ユニット２０、および２つの内刃ユニット３０を有する。電気かみそり１は、内刃ユニット３０を外刃ユニット２０に対して往復運動させる往復動式電気かみそりの形態を有する。
【００２１】
かみそり本体１０は、グリップ部１１、ヘッド部１２、駆動部１３、および電源スイッチ１４を有する。かみそり本体１０は、本体正面１０Ａ、本体背面１０Ｂ、本体右側面１０Ｃ、および本体左側面１０Ｄを有する。かみそり本体１０は、本体長手方向、本体幅方向、および本体奥行方向を規定する。本体長手方向は、かみそり本体１０の正面視における長手方向の双方向を示す。本体幅方向は、かみそり本体１０の正面視において本体長手方向に直交する双方向を示す。本体奥行方向は、本体長手方向および本体幅方向に直交する双方向を示す。
【００２２】
本体正面１０Ａは、電気かみそり１が使用者により使用されるとき、使用者に向かい合う面を示す。本体背面１０Ｂは、本体奥行方向において、本体正面１０Ａとは反対側に存在する面を示す。本体右側面１０Ｃは、本体幅方向において、本体正面１０Ａに対して右側に存在する面を示す。本体左側面１０Ｄは、本体幅方向において、本体正面１０Ａに対して左側に存在する面を示す。
【００２３】
ヘッド部１２は、グリップ部１１に結合されている。駆動部１３は、グリップ部１１およびヘッド部１２に収容されている。駆動部１３の一部は、ヘッド部１２から外部に突出している。駆動部１３は、本体幅方向において内刃ユニット３０を往復運動させる。電源スイッチ１４は、グリップ部１１の本体正面１０Ａに形成されている。
【００２４】
外刃ユニット２０は、外刃２１、外刃ケース２２、および複数の外刃孔（図示略）を有する。外刃ケース２２は、かみそり本体１０に結合される。外刃２１は、外刃ケース２２に結合されている。外刃２１は、外刃孔を介して外刃ケース２２の内部の空間に毛を導入する。
【００２５】
内刃ユニット３０は、内刃４０および内刃継手部品６０を有する。内刃ユニット３０は、内刃継手部品６０において駆動部１３に結合されている。内刃ユニット３０は、外刃ユニット２０に対して往復運動することにより毛を切断する。
【００２６】
図２を参照して、内刃ユニット３０の詳細な構成について説明する。図２は、内刃ユニット３０が組み立てられる前の内刃４０および内刃継手部品６０を示す。なお、図２を参照する説明において、かみそり本体１０およびこれに関連する事項は、図１を参照することにより該当する事項を確認することができる。
【００２７】
内刃ユニット３０は、内刃長手方向ＤＸ、内刃高さ方向ＤＹ、内刃奥行方向ＤＺ、内刃内方向、および内刃外方向を規定する。内刃長手方向ＤＸは、内刃ユニット３０の正面視における長手方向の双方向を示す。内刃高さ方向ＤＹは、内刃ユニット３０の正面視において内刃長手方向ＤＸに直交する双方向を示す。内刃奥行方向ＤＺは、内刃長手方向ＤＸおよび内刃高さ方向ＤＹに直交する双方向を示す。内刃内方向は、内刃長手方向ＤＸにおいて内刃長手方向ＤＸの中心に接近する方向を示す。内刃外方向は、内刃長手方向ＤＸにおいて内刃長手方向ＤＸの中心から離間する方向を示す。
【００２８】
内刃長手方向ＤＸの一方は、右方向ＤＸＲを示す。内刃長手方向ＤＸの他方は、左方向ＤＸＬを示す。右方向ＤＸＲは、内刃ユニット３０の正面視において左から右に向かう方向を示す。左方向ＤＸＬは、正面視において右から左に向かう方向を示す。
【００２９】
内刃高さ方向ＤＹの一方は、上方向ＤＹＴを示す。内刃高さ方向ＤＹの他方は、下方向ＤＹＢを示す。上方向ＤＹＴは、内刃ユニット３０の正面視においてかみそり本体１０側から外刃２１側に向かう方向を示す。下方向ＤＹＢは、内刃ユニット３０の正面視において外刃２１側からかみそり本体１０側に向かう方向を示す。
【００３０】
内刃奥行方向ＤＺの一方は、前方向ＤＺＦを示す。内刃奥行方向ＤＺの他方は、後方向ＤＺＲを示す。前方向ＤＺＦは、本体背面１０Ｂ側から本体正面１０Ａ側に向かう方向を示す。後方向ＤＺＲは、本体正面１０Ａ側から本体背面１０Ｂ側に向かう方向を示す。
【００３１】
内刃ユニット３０は、内刃正面３０Ａ、内刃背面３０Ｂ、内刃右側面３０Ｃ、および内刃左側面３０Ｄを有する。内刃正面３０Ａは、内刃奥行方向ＤＺにおいて前方向ＤＺＦ側に存在する面を示す。内刃背面３０Ｂは、内刃奥行方向ＤＺにおいて後方向ＤＺＲ側に存在する面を示す。内刃右側面３０Ｃは、内刃長手方向ＤＸにおいて右方向ＤＸＲ側に存在する面を示す。内刃左側面３０Ｄは、内刃長手方向ＤＸにおいて左方向ＤＸＬ側に存在する面を示す。
【００３２】
内刃４０は、金属材料により形成されている。内刃４０は、例えばプレス加工により成形することができる。内刃４０は、２つの内刃本体部４１、複数の刃片５０、２つの保護片４５、および複数のスリット孔４６を有する。内刃４０は、内刃本体部４１、複数の刃片５０、および２つの保護片４５が同一の材料により一体的に形成された構造を有する。
【００３３】
内刃本体部４１は、溶着固定部４２、引掛嵌合部４３、および挿入嵌合部４４を有する。一方の内刃本体部４１および他方の内刃本体部４１は、複数の刃片５０および２つの保護片４５により互いに接続されている。内刃本体部４１は、溶着固定部４２、引掛嵌合部４３、および挿入嵌合部４４において内刃継手部品６０に結合される。
【００３４】
内刃継手部品６０は、樹脂材料により形成されている。内刃継手部品６０は、例えば射出成形により成形することができる。内刃継手部品６０は、継手本体部６１および６つの継手振動部７０を有する。内刃継手部品６０は、継手本体部６１および６つの継手振動部７０が同一の材料により一体的に形成された構造を有する。内刃長手方向ＤＸにおいて互いに隣り合う継手振動部７０の距離は、内刃長手方向ＤＸにおいて互いに隣り合う刃片５０の距離よりも長い。
【００３５】
継手本体部６１は、本体用結合部６２、内刃用結合部６３、長手位置決め部６４、高さ位置決め部６５、奥行位置決め部６６、溶着部６７、抜止部６８、および指当部６９を有する。本体用結合部６２は、駆動部１３と結合される。内刃用結合部６３は、内刃４０と結合される。長手位置決め部６４、奥行位置決め部６６、溶着部６７、および抜止部６８は、内刃用結合部６３の前方向ＤＺＦ側の壁部および後方向ＤＺＲ側の壁部のそれぞれに形成されている。
【００３６】
長手位置決め部６４は、互いに隣り合う２つの溶着部６７の間において、内刃用結合部６３を貫通する窓部分に形成されている。高さ位置決め部６５は、内刃用結合部６３の内刃長手方向ＤＸの端部、かつ内刃用結合部６３の上方向ＤＹＴ側の部分に形成されている。奥行位置決め部６６および溶着部６７は、内刃用結合部６３の表面上に形成されている。抜止部６８は、内刃用結合部６３の内刃外方向側の部分において、内刃用結合部６３を貫通する窓部分に形成されている。指当部６９は、内刃用結合部６３の内刃長手方向ＤＸの端部に形成されている。
【００３７】
図３および図４を参照して、組み立て後の内刃ユニット３０の構成について説明する。
内刃ユニット３０は、内刃４０および内刃継手部品６０が互いに結合された構造を有する。内刃継手部品６０は、内刃本体部４１の前方向ＤＺＦ側の壁部と内刃本体部４１の後方向ＤＺＲ側の壁部との間に配置されている。保護片４５は、高さ位置決め部６５に接触している。刃片５０の刃片頂上部５３は、継手振動部７０に嵌め込まれている。
【００３８】
溶着部６７は、ヒートシール加工により溶着固定部４２に固定されている。抜止部６８は、引掛嵌合部４３に嵌め込まれている。抜止部６８は、引掛嵌合部４３との接触により、内刃継手部品６０に対する内刃４０の上方向ＤＹＴへの移動を規制している。長手位置決め部６４は、挿入嵌合部４４に嵌め込まれている。長手位置決め部６４は、挿入嵌合部４４との接触により、内刃長手方向ＤＸにおける内刃継手部品６０に対する内刃４０の位置を規定している。奥行位置決め部６６は、内刃本体部４１の内側面に接触している。奥行位置決め部６６は、内刃本体部４１の内側面との接触により、内刃奥行方向ＤＺにおける内刃継手部品６０に対する内刃４０の位置を規定している。
【００３９】
図５および図６を参照して、刃片５０の詳細な構成について説明する。
刃片５０は、内刃ユニット３０の側面視において、下方向ＤＹＢを向いたＵ字形状に類似する形状を有する。刃片５０は、刃片本体部５１、刃片刃先部５２、および刃片本体部５１の一部分としての刃片頂上部５３、刃片外周面５０Ａ、刃片内周面５０Ｂ、刃片内側面５０Ｃ、および刃片外側面５０Ｄを有する。
【００４０】
刃片外周面５０Ａは、外刃２１側に存在する面を示す。刃片外周面５０Ａは、外刃２１の内周面に接触する。刃片内周面５０Ｂは、内刃継手部品６０側に存在する面を示す。刃片内周面５０Ｂは、Ｕ字形状に類似する形状の空間を刃片５０の内側に形成している。刃片内側面５０Ｃは、内刃内方向側に存在する面を示す。刃片内側面５０Ｃは、隣り合う別の刃片５０の刃片外側面５０Ｄとの間にスリット孔４６を形成している。刃片外側面５０Ｄは、内刃外方向側に存在する面を示す。刃片外側面５０Ｄは、隣り合う別の刃片５０の刃片内側面５０Ｃとの間にスリット孔４６を形成している。
【００４１】
刃片本体部５１は、Ｕ字形状の直線部分において内刃本体部４１と結合されている。刃片刃先部５２は、刃片本体部５１の湾曲部分の縁に形成されている。刃片刃先部５２は、刃片本体部５１の縁から内刃長手方向ＤＸに突出している。刃片頂上部５３は、刃片本体部５１の湾曲部分の頂上部分を構成している。刃片頂上部５３は、継手振動部７０の刃片用結合部１００に結合されている。
【００４２】
図５および図６を参照して、継手振動部７０の詳細な構成について説明する。
継手振動部７０は、振動部本体部７１および刃片用結合部１００を有する。継手振動部７０は、振動部本体部７１において継手本体部６１と結合されている。継手振動部７０は、刃片用結合部１００において刃片５０と結合されている。
【００４３】
振動部本体部７１は、弾性変形しやすい構造を有する。振動部本体部７１は、薄板形状を有する。振動部本体部７１は、刃片５０よりも低い剛性を有する。振動部本体部７１のうちの上方向ＤＹＴ側の部分は、半円形状を有する。振動部本体部７１のうちの下方向ＤＹＢ側の部分は、長方形状を有する。振動部本体部７１は、本体部外周面７１Ａ、本体部内側面７１Ｂ、および本体部外側面７１Ｃを有する。
【００４４】
本体部外周面７１Ａは、刃片５０側に存在する面を示す。本体部外周面７１Ａの一部分は、隙間を介して刃片内周面５０Ｂと対向している。本体部内側面７１Ｂは、内刃内方向側に存在する面を示す。本体部内側面７１Ｂは、隣り合う継手振動部７０の本体部内側面７１Ｂ、または隣り合う継手振動部７０の本体部外側面７１Ｃと空間を介して対向している。本体部外側面７１Ｃは、内刃外方向側に存在する面を示す。本体部外側面７１Ｃは、隣り合う継手振動部７０の本体部内側面７１Ｂ、または高さ位置決め部６５の内側面と空間を介して対向している。
【００４５】
図６および図７を参照して、刃片用結合部１００の形成位置ついて説明する。
刃片用結合部１００は、図６に示されるとおり、内刃奥行方向ＤＺにおいて振動部本体部７１の中間部分に形成されている。刃片用結合部１００の内刃奥行方向ＤＺの中心線は、内刃奥行方向ＤＺにおいて、振動部本体部７１の内刃奥行方向ＤＺの中心線と一致している。刃片用結合部１００は、図７に示されるとおり、内刃高さ方向ＤＹにおいて振動部本体部７１の上方向ＤＹＴの端部に形成されている。刃片用結合部１００は、図７に示されるとおり、内刃長手方向ＤＸにおいて、振動部本体部７１に対して内刃外方向にオフセットしている。刃片用結合部１００の内刃長手方向ＤＸの中心線は、内刃長手方向ＤＸにおいて、振動部本体部７１の内刃長手方向ＤＸの中心線に対して内刃外方向にオフセットしている。別の継手振動部７０の刃片用結合部１００は、図４に示されるとおり、内刃長手方向ＤＸにおいて、振動部本体部７１に対して内刃内方向にオフセットしている。この刃片用結合部１００の内刃長手方向ＤＸの中心線は、内刃長手方向ＤＸにおいて、振動部本体部７１の内刃長手方向ＤＸの中心線に対して内刃内方向にオフセットしている。
【００４６】
図７および図８を参照して、刃片用結合部１００の構成について説明する。なお、図７および図８に基づく刃片用結合部１００の構成の説明においては、刃片５０が結合されていない状態の刃片用結合部１００を説明の対象としている。
【００４７】
刃片用結合部１００は、図７に示されるとおり、結合部本体部１０１、刃片配置空間１０３、第１刃片用結合部１１０、および第２刃片用結合部１２０を有する。刃片用結合部１００は、結合部本体部１０１、第１刃片用結合部１１０、および第２刃片用結合部１２０が同一の材料により一体的に形成された構造を有する。
【００４８】
結合部本体部１０１は、振動部本体部７１と一体的に形成されている。結合部本体部１０１は、内刃長手方向ＤＸおよび内刃高さ方向ＤＹのそれぞれにおいて振動部本体部７１の表面から突出している。結合部本体部１０１は、結合部基礎面１０２を有する。刃片配置空間１０３は、第１刃片対向面１１１、第２刃片対向面１２１、および結合部基礎面１０２により囲まれて形成されている。
【００４９】
第１刃片用結合部１１０および第２刃片用結合部１２０は、図７に示されるとおり、結合部本体部１０１から上方向ＤＹＴに突出している。第１刃片用結合部１１０は、第１刃片対向面１１１および第１結合部頂面１１４を有する。第２刃片用結合部１２０は、第２刃片対向面１２１および第２結合部頂面１２４を有する。
【００５０】
第１刃片用結合部１１０および第２刃片用結合部１２０は、図７に示されるとおり、内刃高さ方向ＤＹにおいて互いに同じ寸法を有する。第１刃片用結合部１１０および第２刃片用結合部１２０は、図８に示されるとおり、内刃奥行方向ＤＺにおいて互いに同じ寸法を有する。第１刃片用結合部１１０および第２刃片用結合部１２０は、図８に示されるとおり、内刃奥行方向ＤＺにおいて結合部本体部１０１と同じ寸法を有する。
【００５１】
図８を参照して、各刃片対向面１１１，１２１の構成について説明する。
第１刃片対向面１１１は、内刃奥行方向ＤＺの中間部分が内刃奥行方向ＤＺの両端部分よりも刃片配置空間１０３側に突出した形状を有する。第１刃片対向面１１１は、第１対向面接触部１１２および２つの第１対向面離間部１１３を有する。
【００５２】
第１対向面接触部１１２は、内刃奥行方向ＤＺにおいて第１刃片対向面１１１の中間部分に形成されている。第１対向面接触部１１２は、平面形状を有する。第１対向面接触部１１２の内刃奥行方向ＤＺの中心線は、内刃奥行方向ＤＺにおいて、結合部本体部１０１の内刃奥行方向ＤＺの中心線と一致している。
【００５３】
一方の第１対向面離間部１１３は、内刃奥行方向ＤＺにおいて、第１対向面接触部１１２に対して前方向ＤＺＦ側に形成されている。他方の第１対向面離間部１１３は、内刃奥行方向ＤＺにおいて、第１対向面接触部１１２に対して後方向ＤＺＲ側に形成されている。各第１対向面離間部１１３は、平面形状を有する。
【００５４】
第１対向面接触部１１２の内刃奥行方向ＤＺの長さは、１つの第１対向面離間部１１３の内刃奥行方向ＤＺの長さと等しい。第１対向面接触部１１２の面積は、２つの第１対向面離間部１１３の面積の合計よりも小さい。
【００５５】
第２刃片対向面１２１は、内刃奥行方向ＤＺの中間部分が内刃奥行方向ＤＺの両端部分よりも刃片配置空間１０３側に突出している。第２刃片対向面１２１は、第２対向面接触部１２２および２つの第２対向面離間部１２３を有する。
【００５６】
第２対向面接触部１２２は、内刃奥行方向ＤＺにおいて第２刃片対向面１２１の中間部分に形成されている。第２対向面接触部１２２は、平面形状を有する。第２対向面接触部１２２の内刃奥行方向ＤＺの中心線は、内刃奥行方向ＤＺにおいて、結合部本体部１０１の内刃奥行方向ＤＺの中心線と一致している。
【００５７】
一方の第２対向面離間部１２３は、内刃奥行方向ＤＺにおいて、第２対向面接触部１２２に対して前方向ＤＺＦ側に形成されている。他方の第２対向面離間部１２３は、内刃奥行方向ＤＺにおいて、第２対向面接触部１２２に対して後方向ＤＺＲ側に形成されている。各第２対向面離間部１２３は、平面形状を有する。
【００５８】
第２対向面接触部１２２の内刃奥行方向ＤＺの長さは、１つの第２対向面離間部１２３の内刃奥行方向ＤＺの長さと等しい。第２対向面接触部１２２の面積は、２つの第２対向面離間部１２３の面積の合計よりも小さい。
【００５９】
図８を参照して、各刃片用結合部１１０，１２０の関係について説明する。
第１刃片用結合部１１０および第２刃片用結合部１２０は、内刃奥行方向ＤＺにおいて互いに重なり合う位置に形成されている。第１刃片用結合部１１０および第２刃片用結合部１２０は、刃片配置空間１０３を介して互いに対向している。
【００６０】
第１刃片対向面１１１および第２刃片対向面１２１は、内刃長手方向ＤＸにおいて、刃片配置空間１０３を介して互いに対向している。第１刃片対向面１１１の内刃奥行方向ＤＺの中心線、および第２刃片対向面１２１の内刃奥行方向ＤＺの中心線は、内刃奥行方向ＤＺにおいて互いに一致している。
【００６１】
第１対向面接触部１１２および第２対向面接触部１２２は、内刃長手方向ＤＸにおいて、刃片配置空間１０３を介して互いに対向している。第１対向面接触部１１２の内刃奥行方向ＤＺの中心線、および第２対向面接触部１２２の内刃奥行方向ＤＺの中心線は、内刃奥行方向ＤＺにおいて互いに一致している。
【００６２】
前方向ＤＺＦ側の第１対向面離間部１１３、および前方向ＤＺＦ側の第２対向面離間部１２３は、内刃長手方向ＤＸにおいて、刃片配置空間１０３を介して互いに対向している。また、後方向ＤＺＲ側の第１対向面離間部１１３、および後方向ＤＺＲ側の第２対向面離間部１２３は、内刃長手方向ＤＸにおいて、刃片配置空間１０３を介して互いに対向している。
【００６３】
図８を参照して、接触部間距離ＬＡおよび離間部間距離ＬＢについて説明する。接触部間距離ＬＡは、内刃長手方向ＤＸにおける第１対向面接触部１１２と第２対向面接触部１２２との距離を示す。離間部間距離ＬＢは、内刃長手方向ＤＸにおける第１対向面離間部１１３と第２対向面離間部１２３との距離を示す。なお、以下の説明においては、適正刃片、異形刃片、異形部分、および適正関係の用語を用いる。適正刃片は、刃片頂上部５３に異形部分が存在していない刃片５０、すなわち適正形状を有する刃片５０を示す。異形刃片は、刃片頂上部５３に異形部分が存在している刃片５０、すなわち適正形状と異なる形状を有する刃片５０を示す。異形部分は、製造された刃片５０において、適正刃片における適正形状と相違する部分を示す。適正関係は、内刃継手部品６０および適正刃片が有する関係を示す。
【００６４】
接触部間距離ＬＡは、離間部間距離ＬＢよりも短い。接触部間距離ＬＡは、適正刃片が刃片用結合部１００に嵌め込まれる場合において、好ましい組立性が確保される大きさに設定されている。接触部間距離ＬＡは、適正刃片が刃片用結合部１００に嵌め込まれた場合において、刃片用結合部１００による好ましい保持性が確保される大きさに設定されている。
【００６５】
離間部間距離ＬＢは、適正刃片が刃片用結合部１００に嵌め込まれる場合において、適正刃片の刃片内側面５０Ｃおよび刃片外側面５０Ｄと各対向面離間部１１３，１２３の間に隙間が形成される大きさに設定されている。離間部間距離ＬＢは、異形刃片が刃片用結合部１００に嵌め込まれる場合において、組立性の著しい低下が抑制される大きさに設定されている。
【００６６】
図７〜図１０を参照して、刃片用結合部１００および刃片５０の結合について説明する。図７および図８は、適正刃片としての刃片５０を二点鎖線により表示している。図７〜図１０は、適正刃片が刃片用結合部１００に結合された状態を示している。
【００６７】
図７は、刃片５０が結合された刃片用結合部１００の側面構造を示す。
刃片用結合部１００は、第１対向面接触部１１２および第２対向面接触部１２２により刃片頂上部５３を挟み込む。刃片用結合部１００および刃片頂上部５３は、下部隙間１０４を形成する。下部隙間１０４は、結合部基礎面１０２と刃片頂上部５３の刃片内周面５０Ｂとの間に形成される。下部隙間１０４は、内刃奥行方向ＤＺにおいて、刃片用結合部１００の全体にわたり形成される。
【００６８】
図９は、図８のＸＣ−ＸＣ線の断面構造を示す。
第１対向面接触部１１２は、刃片外側面５０Ｄと接触する。第２対向面接触部１２２は、刃片内側面５０Ｃと接触する。第１結合部頂面１１４は、刃片刃先部５２と隙間を介して対向する。第２結合部頂面１２４は、刃片刃先部５２と隙間を介して対向する。
【００６９】
図１０は、図８のＸＤ−ＸＤ線の断面構造を示す。
第１対向面離間部１１３および刃片外側面５０Ｄは、第１対向隙間１１５を形成する。すなわち、第１対向面離間部１１３は、第１対向隙間１１５を介して刃片外側面５０Ｄと対向する。第２対向面離間部１２３および刃片内側面５０Ｃは、第２対向隙間１２５を形成する。すなわち、第２対向面離間部１２３は、第２対向隙間１２５を介して刃片内側面５０Ｃと対向する。第１結合部頂面１１４は、隙間を介して刃片刃先部５２と対向する。第２結合部頂面１２４は、隙間を介して刃片刃先部５２と対向する。
【００７０】
第１刃片対向面１１１は、図９および図１０に示されるとおり、第１対向面接触部１１２において刃片外側面５０Ｄに接触し、第１対向面離間部１１３において刃片外側面５０Ｄと接触しない。すなわち、刃片頂上部５３に接触する第１刃片対向面１１１の一部分、および刃片頂上部５３に接触しない第１刃片対向面１１１の一部分は、内刃奥行方向ＤＺにおいて並んでいる。なお、第２刃片対向面１２１および刃片頂上部５３の関係は、第１刃片対向面１１１および刃片頂上部５３の関係と同様の関係を示す。
【００７１】
電気かみそり１の作用について説明する。
電気かみそり１は、内刃ユニット３０を有する。内刃ユニット３０は、仮想の内刃継手部品（以下、「仮想継手部品」）を有する仮想の内刃ユニットと比較して、組立性の向上に貢献する。仮想継手部品は、第１対向面離間部１１３および第２対向面離間部１２３を有していない点において内刃継手部品６０と相違し、その他の点において内刃継手部品６０と同じ構成を有する。以下の説明においては、説明の便宜上、内刃継手部品６０と共通する仮想継手部品の各構成要素に対して、内刃継手部品６０の各構成要素の符号と同一の符号を付している。
【００７２】
異形刃片は、仮想継手部品の各刃片対向面１１１，１２１との関係が適正関係と異なる。このため、仮想継手部品および異形刃片を互いに結合する作業が行われる場合、異形刃片が刃片用結合部１００に嵌め込まれるときに大きな抵抗が生じる。または、異形刃片を刃片用結合部１００に嵌め込むことができない。このように、仮想の内刃ユニットは、異形刃片との組み付け作業が行われる場合において組立性が著しく低下する。
【００７３】
一方、内刃継手部品６０は、各対向面離間部１１３，１２３を有する。このため、内刃継手部品６０および異形刃片を互いに結合する作業が行われる場合、内刃継手部品６０および異形刃片の関係における適正関係との相違部分が各対向面離間部１１３，１２３の少なくとも一方により吸収される可能性が生じる。このため、内刃ユニット３０は、仮想継手部品を有する仮想の内刃ユニットと比較して、内刃４０および内刃継手部品６０の組立性の向上に貢献する。
【００７４】
刃片５０の異形部分は、例えば次のように形成される。刃片５０がプレス加工により形成される場合、プレス加工にともない刃片５０にねじれ部分が形成される。このため、成形後の刃片５０に異形部分としてのねじれ部分が形成される。また、刃片５０がプレス加工により形成される場合、プレス金型の経時変化により、プレス金型における刃片成形部分の寸法が刃片５０の適正形状と相違することがある。このため、成形後の刃片５０に異形部分としての寸法誤差部分が形成される。
【００７５】
第１対向面離間部１１３および第２対向面離間部１２３の定義について説明する。
第１対向面離間部１１３は、内刃４０が組み付けられていない内刃継手部品６０において、刃片用結合部１００および異形刃片の結合に関する作業性を向上させることを意図して形成される構造を示す。すなわち、第１対向面離間部１１３の定義は、完成した内刃ユニット３０において、第１対向面離間部１１３が刃片５０と非接触の関係を有することを含まない。なお、第２対向面離間部１２３も同様の技術的意味を有する。
【００７６】
このため、異形刃片が刃片用結合部１００に結合された場合、異形部分の形状に応じて、第１対向面離間部１１３および第２対向面離間部１２３の少なくとも一方と刃片５０とが互いに接触することもある。この場合においても、内刃ユニット３０を組み立てるとき、内刃継手部品６０および異形刃片の関係における適正関係とのずれの少なくとも一部分が、第１対向面離間部１１３および第２対向面離間部１２３の少なくとも一方により吸収されている。このため、完成後の内刃ユニット３０の各対向面離間部１１３，１２３の少なくとも一方と刃片５０とが互いに接触している場合においても、各対向面離間部１１３，１２３の少なくとも一方が組立性の向上に貢献している。
【００７７】
図１および図５を参照して、電気かみそり１の動作について説明する。
駆動部１３は、電源スイッチ１４がオンのとき、内刃ユニット３０を外刃ユニット２０に対して往復運動させる。内刃４０の刃片５０は、外刃ユニット２０の外刃孔を介して導入された毛を外刃２１と協働して挟み込む。刃片５０は、毛を挟み込むことにより弾性変形する。振動部本体部７１は、刃片５０の弾性変形に応じて弾性変形する。内刃ユニット３０は、外刃ユニット２０に対して往復運動することにより、刃片５０および外刃２１により挟み込まれた毛を切断する。刃片５０は、毛を切断したとき、復元力により弾性変形する。振動部本体部７１は、刃片５０の弾性変形に応じて弾性変形することにより振動する。振動部本体部７１は、振動することにより音を発生する。このように、電気かみそり１は、毛を切断したとき、振動部本体部７１により音を発生する。
【００７８】
第１実施形態の電気かみそり１は、以下の効果を奏する。
（１）電気かみそり１は、内刃ユニット３０を有する。内刃ユニット３０は、内刃継手部品６０を有する。内刃継手部品６０は、刃片用結合部１００を有する。刃片用結合部１００は、第１対向面離間部１１３および第２対向面離間部１２３を有する。このため、内刃４０および内刃継手部品６０の組立性を向上させることができる。
【００７９】
（２）第１刃片対向面１１１は、第１対向面接触部１１２および第１対向面離間部１１３を有する。第１対向面接触部１１２は、第１刃片対向面１１１の内刃奥行方向ＤＺの中間部分に形成されている。第１対向面離間部１１３は、第１刃片対向面１１１の内刃奥行方向ＤＺの両端部分に形成されている。この構成によれば、第１刃片対向面１１１の内刃奥行方向ＤＺの両端部に第１対向面接触部１１２が形成されると仮定した構成と比較して、刃片用結合部１００に対して刃片５０が取り得る姿勢の範囲が大きくなる。このため、内刃ユニット３０の組立性を向上させる効果が高くなる。
【００８０】
（３）第２刃片対向面１２１は、第２対向面接触部１２２および第２対向面離間部１２３を有する。第２対向面接触部１２２は、第２刃片対向面１２１の内刃奥行方向ＤＺの中間部分に形成されている。第２対向面離間部１２３は、第２刃片対向面１２１の内刃奥行方向ＤＺの両端部分に形成されている。この構成によれば、第１刃片対向面１１１により得られる効果と同様の効果が得られる。
【００８１】
（４）内刃ユニット３０は、上記（２）および（３）の構成を併せて有する。このため、刃片用結合部１００に対して刃片５０が取り得る姿勢の範囲がより大きくなる。このため、内刃ユニット３０の組立性を向上させる効果が高くなる。
【００８２】
（５）本願発明者は、刃片５０がプレス加工により成形された場合、刃片頂上部５３を内刃継手部品６０に嵌め込むときの抵抗が大きくなるおそれがあることを確認した。その理由は、次のように考えられる。刃片５０は、プレス加工により成形されたことにより、刃片頂上部５３およびその付近に異形部分としてのねじれ部分を有することがある。そして、このようなねじれ部分が異形刃片としての刃片５０に存在している場合、内刃継手部品６０および異形刃片の関係における適正関係との相違の度合が特に大きくなる。このため、内刃継手部品６０および刃片５０を互いに結合するときの抵抗が大きくなる。または、刃片５０を内刃継手部品６０に嵌め込むことができない。
【００８３】
一方、内刃ユニット３０は、内刃ユニット３０は、上記（２）および（３）の構成を併せて有する。すなわち、刃片内側面５０Ｃおよび刃片外側面５０Ｄの両方において、刃片５０の適正形状との相違部分を吸収することに貢献する構成を有する。このため、刃片頂上部５３のねじれ部分における適正形状との相違を各対向面離間部１１３，１２３により吸収することが可能になる。このため、内刃ユニット３０は、プレス加工により成形された刃片５０の組立性の向上に貢献する。
【００８４】
（６）第１刃片対向面１１１および第２刃片対向面１２１は、内刃奥行方向ＤＺにおいて互いに重なり合う。この構成によれば、内刃奥行方向ＤＺにおいて各刃片対向面１１１，１２１が重なり合わないと仮定した構成と比較して、内刃奥行方向ＤＺにおける各対向面接触部１１２，１２２の距離が短くなる。このため、刃片５０が内刃奥行方向ＤＺに対して傾きにくくなる。
【００８５】
（７）第１対向面接触部１１２および第２対向面接触部１２２は、内刃奥行方向ＤＺにおいて互いに重なり合う。この構成によれば、内刃奥行方向ＤＺにおいて各対向面接触部１１２，１２２が重なり合わないと仮定した構成と比較して、内刃長手方向ＤＸにおける各対向面接触部１１２，１２２の対向面積が大きくなる。このため、刃片５０が内刃奥行方向ＤＺに対してより傾きにくくなる。
【００８６】
（８）第１対向面接触部１１２および第２対向面接触部１２２は、内刃奥行方向ＤＺにおいて中心線が一致する。この構成によれば、内刃奥行方向ＤＺにおいて各対向面接触部１１２，１２２の中心線が一致しないと仮定した構成と比較して、内刃長手方向ＤＸにおける各対向面接触部１１２，１２２の対向面積が大きくなる。このため、刃片５０が内刃奥行方向ＤＺに対してより傾きにくくなる。
【００８７】
（９）第１対向面接触部１１２の面積は、第１対向面離間部１１３の合計の面積よりも小さい。この構成によれば、第１対向面接触部１１２の面積が第１対向面離間部１１３の合計の面積よりも大きいと仮定した構成と比較して、内刃継手部品６０および異形刃片の関係における適正関係との相違部分が、第１刃片対向面１１１により吸収される余地が大きくなる。このため、内刃ユニット３０の組立性を向上させる効果が高くなる。なお、第２対向面接触部１２２は、第１対向面接触部１１２により得られる効果と同様の効果を奏する。
【００８８】
（１０）内刃ユニット３０は、比較対象の内刃ユニットと比較して以下の有利な効果を奏する。比較対象の内刃ユニットは、刃片５０および継手振動部７０の結合構造において内刃ユニット３０と相違し、その他の点において内刃ユニット３０と同じ構成を有する。
【００８９】
比較対象の内刃ユニットは、刃片用結合部に第１刃片対向面および第２刃片対向面を有していない。比較対象の内刃ユニットは、次の第１比較工程および第２比較工程を経て組み立てられる。第１比較工程は、ヒーターにより刃片を加熱しながら刃片を継手振動部に接触させる。第２比較工程は、加熱されている刃片を継手振動部に押し付けることにより、継手振動部を熱変形させながら刃片を継手振動部に結合する。このように、比較対象の内刃ユニットは、組立工程において刃片を加熱するためのヒーターが必要になる。
【００９０】
一方、内刃ユニット３０の刃片用結合部１００は、第１刃片対向面１１１および第２刃片対向面１２１により刃片５０を挟み込む構造を有する。このため、比較対象の内刃ユニットとは異なり、組立工程において刃片５０を加熱するためのヒーターを用いる必要がない。このため、内刃ユニット３０は。製造コストの低減に貢献する。
【００９１】
（第２実施形態）
第２実施形態の電気かみそり１は、次の点において第１実施形態の電気かみそり１と相違し、その他の点において第１実施形態の電気かみそり１と同じ構成を有する。第１実施形態の電気かみそり１の内刃ユニット３０は、図８等に示される第１刃片対向面１１１および第２刃片対向面１２１を有する。第２実施形態の電気かみそり１の内刃ユニット３０は、図１１に示される第１刃片対向面２１１および第２刃片対向面２２１を有する。なお、第２実施形態の電気かみそり１において、第１実施形態の電気かみそり１と共通する構成については同一の符号を付して、その説明の一部または全部を省略する。
【００９２】
図１１を参照して、第２実施形態の刃片用結合部１００の構成について説明する。
刃片用結合部１００は、第１実施形態の第１刃片対向面１１１に代えて、第１刃片対向面２１１を有する。刃片用結合部１００は、第１実施形態の第２刃片対向面１２１に代えて、第２刃片対向面２２１を有する。刃片用結合部１００は、その他の点において第１実施形態の刃片用結合部１００と同じ構成を有する。
【００９３】
第１刃片対向面２１１は、内刃奥行方向ＤＺの中間部分が内刃奥行方向ＤＺの両端部分よりも刃片配置空間１０３側に突出した半円形状を有する。第１刃片対向面２１１は、第１対向面接触部２１２および２つの第１対向面離間部２１３を有する。
【００９４】
第１対向面接触部２１２は、内刃奥行方向ＤＺにおいて第１刃片対向面２１１の中心に形成されている。第１対向面接触部２１２は、刃片用結合部１００の平面視において第１刃片対向面２１１の半円の頂点に相当する部分を形成している。第１対向面接触部２１２は、線状の面として形成されている。第１対向面接触部２１２の内刃奥行方向ＤＺの中心線は、内刃奥行方向ＤＺにおいて、結合部本体部１０１の内刃奥行方向ＤＺの中心線と一致している。
【００９５】
一方の第１対向面離間部２１３は、内刃奥行方向ＤＺにおいて、第１対向面接触部２１２に対して前方向ＤＺＦ側に形成されている。他方の第１対向面離間部２１３は、内刃奥行方向ＤＺにおいて、第１対向面接触部２１２に対して後方向ＤＺＲ側に形成されている。各第１対向面離間部２１３は、円弧形状を有する。
【００９６】
第２刃片対向面２２１は、第１刃片対向面２１１に対して線対称の形状を有する。第２刃片対向面２２１は、第２対向面接触部２２２および２つの第２対向面離間部２２３を有する。
【００９７】
第２実施形態の各刃片対向面２１１，２２１の相対的な関係は、第１実施形態の各刃片対向面１１１，１２１が有する相対的な関係と実質的に同じ関係を示す。各刃片対向面２１１，２２１の接触部間距離ＬＡおよび離間部間距離ＬＢは、第１実施形態の接触部間距離ＬＡおよび離間部間距離ＬＢに準じた設計内容を有する。
【００９８】
各刃片対向面２１１，２２１の接触部間距離ＬＡは、内刃長手方向ＤＸにおける第１対向面接触部２１２と第２対向面接触部２２２との距離を示す。各刃片対向面２１１，２２１の離間部間距離ＬＢは、内刃長手方向ＤＸにおける第１対向面離間部２１３と第２対向面離間部２２３との距離を示す。
【００９９】
第２実施形態の電気かみそり１は、第１実施形態の電気かみそり１が奏する（１）〜（６）、（９）、および（１０）の効果と同様の効果を奏する。すなわち、内刃４０および内刃継手部品６０の組立性を向上させる旨の効果、およびその他の種々の効果を奏する。また、第２実施形態の電気かみそり１は、以下の効果を奏する。
【０１００】
（１１）第１刃片対向面２１１は、刃片配置空間１０３側に突出した半円形状を有する。この構成によれば、第１刃片対向面２１１が内刃奥行方向ＤＺに平行な平面形状を有すると仮定した構成と比較して、刃片頂上部５３の異形部分における適正形状との相違を吸収することが可能な余地が大きくなる。このため、内刃ユニット３０の組立性を向上させる効果が高くなる。なお、第２刃片対向面２２１は、第１刃片対向面２１１により得られる効果と同様の効果を奏する。
【０１０１】
（第３実施形態）
第３実施形態の電気かみそり１は、次の点において第１実施形態の電気かみそり１と相違し、その他の点において第１実施形態の電気かみそり１と同じ構成を有する。第１実施形態の電気かみそり１の内刃ユニット３０は、図８等に示される第１刃片対向面１１１および第２刃片対向面１２１を有する。第３実施形態の電気かみそり１の内刃ユニット３０は、図１２に示される第１刃片対向面３１１および第２刃片対向面３２１を有する。なお、第３実施形態の電気かみそり１において、第１実施形態の電気かみそり１と共通する構成については同一の符号を付して、その説明の一部または全部を省略する。
【０１０２】
図１２を参照して、第３実施形態の刃片用結合部１００の構成について説明する。
刃片用結合部１００は、第１実施形態の第１刃片対向面１１１に代えて、第１刃片対向面３１１を有する。刃片用結合部１００は、第１実施形態の第２刃片対向面１２１に代えて、第２刃片対向面３２１を有する。刃片用結合部１００は、その他の点において第１実施形態の刃片用結合部１００と同じ構成を有する。
【０１０３】
第１刃片対向面３１１は、内刃奥行方向ＤＺの中間部分が内刃奥行方向ＤＺの両端部分よりも刃片配置空間１０３側に突出したテーパー形状を有する。第１刃片対向面３１１は、第１対向面接触部３１２および２つの第１対向面離間部３１３を有する。
【０１０４】
第１対向面接触部３１２は、内刃奥行方向ＤＺにおいて第１刃片対向面３１１の中心に形成されている。第１対向面接触部３１２は、刃片用結合部１００の平面視において一方の第１対向面離間部３１３と他方の第１対向面離間部３１３との交点を形成している。第１対向面接触部３１２は、線状の面として形成されている。第１対向面接触部３１２の内刃奥行方向ＤＺの中心線は、内刃奥行方向ＤＺにおいて、結合部本体部１０１の内刃奥行方向ＤＺの中心線と一致している。
【０１０５】
一方の第１対向面離間部３１３は、内刃奥行方向ＤＺにおいて、第１対向面接触部３１２に対して前方向ＤＺＦ側に形成されている。他方の第１対向面離間部３１３は、内刃奥行方向ＤＺにおいて、第１対向面接触部３１２に対して後方向ＤＺＲ側に形成されている。各第１対向面離間部３１３は、内刃奥行方向ＤＺに対して傾斜した平面形状を有する。
【０１０６】
第２刃片対向面３２１は、第１刃片対向面３１１に対して線対称の形状を有する。第２刃片対向面３２１は、第２対向面接触部３２２および２つの第２対向面離間部３２３を有する。
【０１０７】
第３実施形態の各刃片対向面３１１，３２１の相対的な関係は、第１実施形態の各刃片対向面１１１，１２１が有する相対的な関係と実質的に同じ関係を示す。各刃片対向面３１１，３２１の接触部間距離ＬＡおよび離間部間距離ＬＢは、第１実施形態の接触部間距離ＬＡおよび離間部間距離ＬＢに準じた設計内容を有する。
【０１０８】
各刃片対向面３１１，３２１の接触部間距離ＬＡは、内刃長手方向ＤＸにおける第１対向面接触部３１２と第２対向面接触部３２２との距離を示す。各刃片対向面３１１，３２１の離間部間距離ＬＢは、内刃長手方向ＤＸにおける第１対向面離間部３１３と第２対向面離間部３２３との距離を示す。
【０１０９】
第３実施形態の電気かみそり１は、第１実施形態の電気かみそり１が奏する（１）〜（６）、（９）、および（１０）の効果と同様の効果を奏する。すなわち、内刃４０および内刃継手部品６０の組立性を向上させる旨の効果、およびその他の種々の効果を奏する。また、第３実施形態の電気かみそり１は、以下の効果を奏する。
【０１１０】
（１２）第１刃片対向面３１１は、刃片配置空間１０３側に突出したテーパー形状を有する。この構成によれば、第１刃片対向面３１１が内刃奥行方向ＤＺに平行な平面形状を有すると仮定した構成と比較して、刃片頂上部５３の異形部分における適正形状との相違を吸収することが可能な余地が大きくなる。このため、内刃ユニット３０の組立性を向上させる効果が高くなる。なお、第２刃片対向面３２１は、第１刃片対向面３１１により得られる効果と同様の効果を奏する。
【０１１１】
（第４実施形態）
第４実施形態の電気かみそり１は、次の点において第１実施形態の電気かみそり１と相違し、その他の点において第１実施形態の電気かみそり１と同じ構成を有する。第１実施形態の電気かみそり１の内刃ユニット３０は、図８等に示される第１刃片対向面１１１および第２刃片対向面１２１を有する。第４実施形態の電気かみそり１の内刃ユニット３０は、図１３に示される第１刃片対向面４１１および第２刃片対向面４２１を有する。なお、第４実施形態の電気かみそり１において、第１実施形態の電気かみそり１と共通する構成については同一の符号を付して、その説明の一部または全部を省略する。
【０１１２】
図１３を参照して、第４実施形態の刃片用結合部１００の構成について説明する。
刃片用結合部１００は、第１実施形態の第１刃片対向面１１１に代えて、第１刃片対向面４１１を有する。刃片用結合部１００は、第１実施形態の第２刃片対向面１２１に代えて、第２刃片対向面４２１を有する。刃片用結合部１００は、その他の点において第１実施形態の刃片用結合部１００と同じ構成を有する。
【０１１３】
第１刃片対向面４１１は、内刃奥行方向ＤＺの中間部分が内刃奥行方向ＤＺの両端部分よりも刃片配置空間１０３とは反対側に凹んだ形状を有する。第１刃片対向面４１１は、２つの第１対向面接触部４１２および第１対向面離間部４１３を有する。
【０１１４】
第１対向面接触部４１２は、内刃奥行方向ＤＺにおいて第１刃片対向面４１１の両端部分に形成されている。第１対向面接触部４１２は、平面形状を有する。一方の第１対向面接触部４１２は、内刃奥行方向ＤＺにおいて、第１対向面離間部４１３に対して前方向ＤＺＦ側に形成されている。他方の第１対向面接触部４１２は、内刃奥行方向ＤＺにおいて、第１対向面離間部４１３に対して後方向ＤＺＲ側に形成されている。２つの第１対向面接触部４１２の面積の合計は、第１対向面離間部４１３の面積よりも小さい。
【０１１５】
第１対向面離間部４１３は、内刃奥行方向ＤＺにおいて第１刃片対向面４１１の中間部分に形成されている。第１対向面離間部４１３の内刃奥行方向ＤＺの中心線は、内刃奥行方向ＤＺにおいて、結合部本体部１０１の内刃奥行方向ＤＺの中心線と一致している。第１対向面離間部４１３は、平面形状を有する。
【０１１６】
第２刃片対向面４２１は、第１刃片対向面４１１に対して線対称の形状を有する。第２刃片対向面４２１は、２つの第２対向面接触部４２２および第２対向面離間部４２３を有する。２つの第２対向面接触部４２２の面積の合計は、第２対向面離間部４２３の面積よりも小さい。
【０１１７】
第４実施形態の各刃片対向面４１１，４２１の相対的な関係は、第１実施形態の各刃片対向面１１１，１２１が有する相対的な関係と実質的に同じ関係を示す。各刃片対向面４１１，４２１の接触部間距離ＬＡおよび離間部間距離ＬＢは、第１実施形態の接触部間距離ＬＡおよび離間部間距離ＬＢに準じた設計内容を有する。
【０１１８】
各刃片対向面４１１，４２１の接触部間距離ＬＡは、内刃長手方向ＤＸにおける第１対向面接触部４１２と第２対向面接触部４２２との距離を示す。各刃片対向面４１１，４２１の離間部間距離ＬＢは、内刃長手方向ＤＸにおける第１対向面離間部４１３と第２対向面離間部４２３との距離を示す。
【０１１９】
第４実施形態の電気かみそり１は、第１実施形態の電気かみそり１が奏する（１）、（６）〜（８）、および（１０）の効果と同様の効果を奏する。すなわち、内刃４０および内刃継手部品６０の組立性を向上させる旨の効果、およびその他の種々の効果を奏する。
【０１２０】
（第５実施形態）
第５実施形態の電気かみそり１は、次の点において第１実施形態の電気かみそり１と相違し、その他の点において第１実施形態の電気かみそり１と同じ構成を有する。第１実施形態の電気かみそり１の内刃ユニット３０は、図８等に示される第１刃片対向面１１１および第２刃片対向面１２１を有する。第５実施形態の電気かみそり１の内刃ユニット３０は、図１４に示される第２刃片対向面５２１を有する。なお、第５実施形態の電気かみそり１において、第１実施形態の電気かみそり１と共通する構成については同一の符号を付して、その説明の一部または全部を省略する。
【０１２１】
図１４を参照して、第５実施形態の刃片用結合部１００の構成について説明する。
刃片用結合部１００は、第１実施形態の第２刃片対向面１２１に代えて、第２刃片対向面５２１を有する。刃片用結合部１００は、その他の点において第１実施形態の刃片用結合部１００と同じ構成を有する。
【０１２２】
第２刃片対向面５２１は、内刃奥行方向ＤＺの中間部分が内刃奥行方向ＤＺの両端部分よりも刃片配置空間１０３とは反対側に凹んだ形状を有する。第２刃片対向面５２１は、２つの第２対向面接触部５２２および第２対向面離間部５２３を有する。
【０１２３】
第２対向面接触部５２２は、内刃奥行方向ＤＺにおいて第２刃片対向面５２１の両端部分に形成されている。第２対向面接触部５２２は、平面形状を有する。一方の第２対向面接触部５２２は、内刃奥行方向ＤＺにおいて、第２対向面離間部５２３に対して前方向ＤＺＦ側に形成されている。他方の第２対向面接触部５２２は、内刃奥行方向ＤＺにおいて、第２対向面離間部５２３に対して後方向ＤＺＲ側に形成されている。
【０１２４】
第２対向面離間部５２３は、内刃奥行方向ＤＺにおいて第２刃片対向面５２１の中間部分に形成されている。第２対向面離間部５２３の内刃奥行方向ＤＺの中心線は、内刃奥行方向ＤＺにおいて、結合部本体部１０１の内刃奥行方向ＤＺの中心線と一致している。第２対向面離間部５２３は、平面形状を有する。
【０１２５】
第１対向面接触部１１２および第２対向面離間部５２３は、内刃長手方向ＤＸにおいて、刃片配置空間１０３を介して互いに対向している。第１対向面接触部１１２の内刃奥行方向ＤＺの中心線、および第２対向面離間部５２３の内刃奥行方向ＤＺの中心線は、内刃奥行方向ＤＺにおいて互いに一致している。
【０１２６】
前方向ＤＺＦ側の第１対向面離間部１１３、および前方向ＤＺＦ側の第２対向面接触部５２２は、内刃長手方向ＤＸにおいて、刃片配置空間１０３を介して互いに対向している。また、後方向ＤＺＲ側の第１対向面離間部１１３、および後方向ＤＺＲ側の第２対向面接触部５２２は、内刃長手方向ＤＸにおいて、刃片配置空間１０３を介して互いに対向している。
【０１２７】
第５実施形態の電気かみそり１は、第１実施形態の電気かみそり１が奏する（１）、（２）、（６）、（９）および（１０）の効果と同様の効果を奏する。すなわち、内刃４０および内刃継手部品６０の組立性を向上させる旨の効果、およびその他の種々の効果を奏する。
【０１２８】
（第６実施形態）
第６実施形態の電気かみそり１は、次の点において第２実施形態の電気かみそり１と相違し、その他の点において第２実施形態の電気かみそり１と同じ構成を有する。第２実施形態の電気かみそり１の内刃ユニット３０は、図１１に示される結合部本体部１０１を有する。第６実施形態の電気かみそり１の内刃ユニット３０は、図１５に示される結合部本体部６０１を有する。なお、第６実施形態の電気かみそり１において、第２実施形態の電気かみそり１と共通する構成については同一の符号を付して、その説明の一部または全部を省略する。
【０１２９】
図１５を参照して、第６実施形態の刃片用結合部１００の構成について説明する。
刃片用結合部１００は、第２実施形態の結合部本体部１０１に代えて、結合部本体部６０１を有する。刃片用結合部１００は、その他の点において第２実施形態の刃片用結合部１００と同じ構成を有する。
【０１３０】
結合部本体部６０１の中間部分は、刃片用結合部１００の平面視において内刃長手方向ＤＸに対して傾斜している。結合部本体部６０１の中間部分は、結合部本体部６０１のうちの第１刃片用結合部１１０および第２刃片用結合部１２０が突出していない部分を示す。結合部本体部６０１の中間部分は、内刃内方向から内刃外方向に向かうにつれて前方向ＤＺＦ側から後方向ＤＺＲ側に向けて傾斜している。
【０１３１】
各刃片用結合部１１０，１２０の関係について説明する。
第１刃片対向面２１１および第２刃片対向面２２１は、内刃長手方向ＤＸにおいて、刃片配置空間１０３を介して互いに対向している。第１刃片対向面２１１の内刃奥行方向ＤＺの中心線は、内刃奥行方向ＤＺにおいて、第２刃片対向面２２１の内刃奥行方向ＤＺの中心線に対して後方向ＤＺＲ側にオフセットしている。
【０１３２】
第１対向面接触部２１２は、内刃奥行方向ＤＺにおいて、第２対向面接触部２２２に対して後方向ＤＺＲ側にオフセットしている。第１対向面接触部２１２の内刃奥行方向ＤＺの中心線は、内刃奥行方向ＤＺにおいて、第２対向面接触部２２２の内刃奥行方向ＤＺの中心線に対して後方向ＤＺＲ側にオフセットしている。
【０１３３】
前方向ＤＺＦ側の第１対向面離間部２１３の一部分、および前方向ＤＺＦ側の第２対向面離間部２２３の一部分は、内刃長手方向ＤＸにおいて、刃片配置空間１０３を介して互いに対向している。また、後方向ＤＺＲ側の第１対向面離間部２１３の一部分、および後方向ＤＺＲ側の第２対向面離間部２２３の一部分は、内刃長手方向ＤＸにおいて、刃片配置空間１０３を介して互いに対向している。
【０１３４】
第６実施形態の各刃片対向面２１１，２２１の接触部間距離ＬＡおよび離間部間距離ＬＢは、第１実施形態の接触部間距離ＬＡおよび離間部間距離ＬＢに準じた設計内容を有する。
【０１３５】
各刃片対向面２１１，２２１の接触部間距離ＬＡは、内刃長手方向ＤＸにおける第１接触部線分と第２接触部線分との距離を示す。第１接触部線分は、刃片用結合部１００の平面視において内刃長手方向ＤＸに直交し、かつ第１対向面接触部２１２を通過する線分を示す。第２接触部線分は、刃片用結合部１００の平面視において内刃長手方向ＤＸに直交し、かつ第２対向面接触部２２２を通過する線分を示す。
【０１３６】
各刃片対向面２１１，２２１の離間部間距離ＬＢは、内刃長手方向ＤＸにおける第１対向面離間部２１３と第２対向面離間部２２３との距離を示す。離間部間距離ＬＢは、内刃奥行方向ＤＺの位置に応じて異なる。
【０１３７】
第６実施形態の電気かみそり１は、第２実施形態の電気かみそり１が奏する（１）〜（６）、（９）、および（１０）の効果と同様の効果を奏する。すなわち、内刃４０および内刃継手部品６０の組立性を向上させる旨の効果、およびその他の種々の効果を奏する。
【０１３８】
（第７実施形態）
第７実施形態の電気かみそり１は、次の点において第１実施形態の電気かみそり１と相違し、その他の点において第１実施形態の電気かみそり１と同じ構成を有する。第１実施形態の電気かみそり１の内刃ユニット３０は、図８等に示される結合部本体部１０１を有する。第７実施形態の電気かみそり１の内刃ユニット３０は、図１６に示される結合部本体部７０１を有する。なお、第７実施形態の電気かみそり１において、第２実施形態の電気かみそり１と共通する構成については同一の符号を付して、その説明の一部または全部を省略する。
【０１３９】
図１６を参照して、第７実施形態の刃片用結合部１００の構成について説明する。
刃片用結合部１００は、第１実施形態の結合部本体部１０１に代えて、結合部本体部７０１を有する。刃片用結合部１００は、その他の点において第１実施形態の刃片用結合部１００と同じ構成を有する。
【０１４０】
結合部本体部７０１は、第１結合部本体部７０１Ａおよび第２結合部本体部７０１Ｂを有する。結合部本体部７０１は、刃片用結合部１００の平面視において本体部外側面７１Ｃを含む仮想面を基準として、第１実施形態の結合部本体部１０１が２つの部分に分割された構造に相当する構造を有する。第１結合部本体部７０１Ａは、結合部本体部１０１のうちの本体部外側面７１Ｃよりも内刃外方向側の部分と実質的に同じ構造を有する。第２結合部本体部７０１Ｂは、結合部本体部１０１のうちの本体部外側面７１Ｃよりも内刃内方向側の部分と実質的に同じ構造を有する。
【０１４１】
各刃片用結合部１１０，１２０の関係について説明する。
第１結合部本体部７０１Ａの内刃奥行方向ＤＺの中心線は、内刃奥行方向ＤＺにおいて、振動部本体部７１の内刃奥行方向ＤＺの中心線に対して後方向ＤＺＲ側にオフセットしている。第２結合部本体部７０１Ｂの内刃奥行方向ＤＺの中心線は、内刃奥行方向ＤＺにおいて、振動部本体部７１の内刃奥行方向ＤＺの中心線に対して前方向ＤＺＦ側にオフセットしている。
【０１４２】
第１刃片対向面１１１の内刃奥行方向ＤＺの中心線は、内刃奥行方向ＤＺにおいて、振動部本体部７１の内刃奥行方向ＤＺの中心線に対して後方向ＤＺＲ側にオフセットしている。第２刃片対向面１２１の内刃奥行方向ＤＺの中心線は、内刃奥行方向ＤＺにおいて、振動部本体部７１の内刃奥行方向ＤＺの中心線に対して前方向ＤＺＦ側にオフセットしている。
【０１４３】
第７実施形態居の各刃片対向面１１１，１２１の接触部間距離ＬＡおよび離間部間距離ＬＢは、第１実施形態の接触部間距離ＬＡおよび離間部間距離ＬＢに準じた設計内容を有する。
【０１４４】
各刃片対向面１１１，１２１の接触部間距離ＬＡは、内刃長手方向ＤＸにおける第１接触部線分と第２接触部線分との距離を示す。第１接触部線分は、刃片用結合部１００の平面視において内刃長手方向ＤＸに直交し、かつ第１対向面接触部１１２を通過する線分を示す。第２接触部線分は、刃片用結合部１００の平面視において内刃長手方向ＤＸに直交し、かつ第２対向面接触部１２２を通過する線分を示す。
【０１４５】
各刃片対向面１１１，１２１の離間部間距離ＬＢは、内刃長手方向ＤＸにおける第１離間部線分と第２離間部線分との距離を示す。第１離間部線分は、刃片用結合部１００の平面視において内刃長手方向ＤＸに直交し、かつ第１対向面離間部１１３を通過する線分を示す。第２離間部線分は、刃片用結合部１００の平面視において内刃長手方向ＤＸに直交し、かつ第２対向面離間部１２３を通過する線分を示す。
【０１４６】
第７実施形態の電気かみそり１は、第１実施形態の電気かみそり１が奏する（１）〜（５）、（９）、および（１０）の効果と同様の効果を奏する。すなわち、内刃４０および内刃継手部品６０の組立性を向上させる旨の効果、およびその他の種々の効果を奏する。
【０１４７】
（第８実施形態）
第８実施形態の電気かみそり１は、次の点において第１実施形態の電気かみそり１と相違し、その他の点において第１実施形態の電気かみそり１と同じ構成を有する。第１実施形態の電気かみそり１の内刃ユニット３０は、図７等に示される第１結合部頂面１１４および第２結合部頂面１２４を有する。第８実施形態の電気かみそり１の内刃ユニット３０は、図１７および図１８に示される第１結合部頂面８１４および第２結合部頂面８２４を有する。なお、第８実施形態の電気かみそり１において、第２実施形態の電気かみそり１と共通する構成については同一の符号を付して、その説明の一部または全部を省略する。
【０１４８】
図１７および図１８を参照して、第８実施形態の刃片用結合部１００の構成について説明する。図１７は、図８のＸＣ−ＸＣ線と同じ位置において破断された刃片用結合部１００の断面構造を示す。図１８は、図８のＸＤ−ＸＤ線と同じ位置において破断された刃片用結合部１００の断面構造を示す。
【０１４９】
刃片用結合部１００は、第１実施形態の第１結合部頂面１１４に代えて、第１結合部頂面８１４を有する。刃片用結合部１００は、第１実施形態の第２結合部頂面１２４に代えて、第２結合部頂面８２４を有する。刃片用結合部１００は、その他の点において第１実施形態の刃片用結合部１００と同じ構成を有する。
【０１５０】
第１結合部頂面８１４は、内刃長手方向ＤＸにおいて第１刃片用結合部１１０の外周面から第１刃片対向面１１１に向かうにつれて上方向ＤＹＴから下方向ＤＹＢに向けて傾斜している。
【０１５１】
第２結合部頂面８２４は、内刃長手方向ＤＸにおいて第２刃片用結合部１２０の外周面から第２刃片対向面１２１に向かうにつれて上方向ＤＹＴから下方向ＤＹＢに向けて傾斜している。
【０１５２】
第８実施形態の電気かみそり１は、第１実施形態の電気かみそり１が奏する（１）〜（１０）の効果と同様の効果を奏する。すなわち、内刃４０および内刃継手部品６０の組立性を向上させる旨の効果、およびその他の種々の効果を奏する。
【０１５３】
（その他の実施形態）
本電気かみそりおよび本内刃ユニットは、第１実施形態〜第８実施形態とは異なるその他の実施形態を含む。その他の実施形態は、一例として、以下に示される第１実施形態〜第８実施形態の変形例としての形態を含む。なお、以下の各変形例は、技術的に矛盾しない範囲において互いに組み合わせることができる。
【０１５４】
・第１実施形態の刃片用結合部１００は、１つの第１対向面接触部１１２および１つの第２対向面接触部１２２を有する。ただし、刃片用結合部１００の構成は、第１実施形態に例示された内容に限られない。変形例の刃片用結合部は、第１対向面接触部１１２および第２対向面接触部１２２の少なくとも一方を複数有する。なお、第２実施形態、第５実施形態、および第８実施形態の刃片用結合部１００についても上記変形例と同様に変更することができる。
【０１５５】
・第１実施形態の刃片用結合部１００は、図８等に示される第１対向面接触部１１２および第２対向面接触部１２２を有する。ただし、刃片用結合部１００の構成は、第１実施形態に例示された内容に限られない。変形例の刃片用結合部は、一例として以下の構成を有する。
【０１５６】
［変形例Ａ１］の刃片用結合部は、第１対向面接触部１１２に代えて、第２実施形態の第１刃片対向面２１１と相似形の第１対向面接触部を有する。［変形例Ａ２］の刃片用結合部は、第２対向面接触部１２２に代えて、第２実施形態の第２刃片対向面２２１と相似形の第２対向面接触部を有する。［変形例Ａ３］の刃片用結合部は、［変形例Ａ１］の第１対向面接触部、および［変形例Ａ２］の第２対向面接触部を併せて有する。［変形例Ａ４］の刃片用結合部は、［変形例Ａ１］〜［変形例Ａ３］のいずれか１つの刃片用結合部において複数の第１対向面接触部を有する。［変形例Ａ５］の刃片用結合部は、［変形例Ａ１］〜［変形例Ａ４］のいずれか１つの刃片用結合部において複数の第２対向面接触部を有する。なお、［変形例Ａ１］〜［変形例Ａ５］の第１対向面接触部は、第１対向面離間部１１３と実質的に同じ役割を果たす部分を含む。また、［変形例Ａ１］〜［変形例Ａ５］の第２対向面接触部は、第２対向面離間部１２３と実質的に同じ役割を果たす部分を含む。
【０１５７】
［変形例Ｂ１］の刃片用結合部は、第１対向面接触部１１２に代えて、第３実施形態の第１刃片対向面３１１と相似形の第１対向面接触部を有する。［変形例Ｂ２］の刃片用結合部は、第２対向面接触部１２２に代えて、第３実施形態の第２刃片対向面３２１と相似形の第２対向面接触部を有する。［変形例Ｂ３］の刃片用結合部は、［変形例Ｂ１］の第１対向面接触部、および［変形例Ｂ２］の第２対向面接触部を併せて有する。［変形例Ｂ４］の刃片用結合部は、［変形例Ｂ１］〜［変形例Ｂ３］のいずれか１つの刃片用結合部において複数の第１対向面接触部を有する。［変形例Ｂ５］の刃片用結合部は、［変形例Ｂ１］〜［変形例Ｂ４］のいずれか１つの刃片用結合部において複数の第２対向面接触部を有する。なお、［変形例Ｂ１］〜［変形例Ｂ５］の第１対向面接触部は、第１対向面離間部１１３と実質的に同じ役割を果たす部分を含む。また、［変形例Ｂ１］〜［変形例Ｂ５］の第２対向面接触部は、第２対向面離間部１２３と実質的に同じ役割を果たす部分を含む。
【０１５８】
・第１実施形態の刃片用結合部１００は、図８等に示される第１刃片用結合部１１０および第２刃片用結合部１２０を有する。ただし、刃片用結合部１００の構成は、第１実施形態に例示された内容に限られない。変形例の刃片用結合部は、一例として以下の構成を有する。
【０１５９】
［変形例Ｃ１］の刃片用結合部は、第１刃片用結合部１１０に代えて、第２実施形態〜第７実施形態のいずれか１つの第１刃片用結合部を有する。［変形例Ｃ２］の刃片用結合部は、第２刃片用結合部１２０に代えて、第２実施形態〜第７実施形態のいずれか１つの第２刃片用結合部を有する。［変形例Ｃ３］の刃片用結合部は、［変形例Ｃ１］の第１刃片用結合部、および［変形例Ｃ２］の刃片用結合部を併せて有する。
【０１６０】
・第６実施形態の刃片用結合部１００は、図１５に示される各刃片対向面２１１，２２１を有する。ただし、各刃片対向面２１１，２２１の形状は、第６実施形態に例示された内容に限られない。変形例の刃片用結合部は、一例として以下の構成を有する。
【０１６１】
［変形例Ｄ１］の刃片用結合部は、第１刃片対向面２１１に代えて、第１実施形態または第３実施形態〜第８実施形態のいずれか１つの第１刃片対向面を有する。［変形例Ｄ２］の刃片用結合部は、第２刃片対向面２２１に代えて、第１実施形態または第３実施形態〜第８実施形態のいずれか１つの第２刃片対向面を有する。［変形例Ｄ３］の刃片用結合部は、［変形例Ｄ１］の第１刃片対向面、および［変形例Ｄ２］の第２刃片対向面を併せて有する。
【０１６２】
・第７実施形態の刃片用結合部１００は、図１６に示される各刃片対向面１１１，１２１を有する。ただし、各刃片対向面１１１，１２１の形状は、第７実施形態に例示された内容に限られない。変形例の刃片用結合部は、一例として以下の構成を有する。
【０１６３】
［変形例Ｅ１］の刃片用結合部は、第１刃片対向面１１１に代えて、第２実施形態〜第４実施形態のいずれか１つの第１刃片対向面を有する。［変形例Ｅ２］の刃片用結合部は、第２刃片対向面１２１に代えて、第２実施形態〜第４実施形態のいずれか１つの第２刃片対向面を有する。［変形例Ｅ３］の刃片用結合部は、［変形例Ｅ１］の第１刃片対向面、および［変形例Ｅ２］の第２刃片対向面を併せて有する。
【０１６４】
・第１実施形態〜第８実施形態の内刃ユニット３０は、６つの継手振動部７０を有する。ただし、継手振動部７０の個数は、第１〜第８実施形態に例示された内容に限られない。変形例の内刃ユニット３０は、１つ〜５つのいずれかまたは７つ以上のいずれかの個数の継手振動部７０を有する。
【０１６５】
・第１実施形態〜第８実施形態の電気かみそり１は、２つの内刃ユニット３０を有する。ただし、内刃ユニット３０の数は、第１実施形態〜第８実施形態に例示された内容に限られない。変形例の電気かみそりは、１つまたは３つ以上のいずれかの個数の内刃ユニット３０を有する。
【０１６６】
（課題を解決するための手段に関する付記）
課題を解決するための手段は、下記の各付記手段のとおり記述することもできる。なお、各付記手段が有する事項は、各実施形態において開示された事項に対応している。
【０１６７】
［付記手段１］
付記手段１の内刃ユニットは、請求項１〜６のいずれか一項に記載の内刃ユニットにおいて次の事項を有する。前記刃片用結合部は、第１刃片用結合部、第２刃片用結合部、および刃片配置空間を有する。前記第１刃片用結合部は、前記第１刃片対向面を有する。前記第２刃片用結合部は、前記第２刃片対向面を有する。前記刃片配置空間は、前記第１刃片対向面と前記第２刃片対向面との間に形成されている。前記第１対向面接触部および前記第２対向面接触部は、前記内刃長手方向において、前記刃片配置空間を介して互いに対向する。前記第１対向面接触部の内刃奥行方向の中心線、および前記第２対向面接触部の内刃奥行方向の中心線は、前記内刃奥行方向において互いに一致している。
【０１６８】
［付記手段２］
付記手段２の内刃ユニットは、付記手段１に記載の内刃ユニットにおいて次の事項を有する。前記刃片用結合部は、結合部本体部を有する。前記結合部本体部は、前記振動部本体部と一体的に形成されている。前記第１刃片用結合部は、前記結合部本体部から突出して形成されている。前記第２刃片用結合部は、前記結合部本体部から突出して形成されている。
【符号の説明】
【０１６９】
１…電気かみそり
１０…かみそり本体、１０Ａ…本体正面、１０Ｂ…本体背面、１０Ｃ…本体右側面、１０Ｄ…本体左側面、１１…グリップ部、１２…ヘッド部、１３…駆動部、１４…電源スイッチ
２０…外刃ユニット、２１…外刃、２２…外刃ケース
３０…内刃ユニット、３０Ａ…内刃正面、３０Ｂ…内刃背面、３０Ｃ…内刃右側面、３０Ｄ…内刃左側面
４０…内刃、４１…内刃本体部、４２…溶着固定部、４３…引掛嵌合部、４４…挿入嵌合部、４５…保護片、４６…スリット孔
５０…刃片、５０Ａ…刃片外周面、５０Ｂ…刃片内周面、５０Ｃ…刃片内側面、５０Ｄ…刃片外側面、５１…刃片本体部、５２…刃片刃先部、５３…刃片頂上部
６０…内刃継手部品、６１…継手本体部、６２…本体用結合部、６３…内刃用結合部、６４…長手位置決め部、６５…高さ位置決め部、６６…奥行位置決め部、６７…溶着部、６８…抜止部、６９…指当部
７０…継手振動部、７１…振動部本体部、７１Ａ…本体部外周面、７１Ｂ…本体部内側面、７１Ｃ…本体部外側面
１００…刃片用結合部、１０１…結合部本体部、１０２…結合部基礎面、１０３…刃片配置空間、１０４…下部隙間
１１０…第１刃片用結合部、１１１…第１刃片対向面、１１２…第１対向面接触部、１１３…第１対向面離間部、１１４…第１結合部頂面、１１５…第１対向隙間
１２０…第２刃片用結合部、１２１…第２刃片対向面、１２２…第２対向面接触部、１２３…第２対向面離間部、１２４…第２結合部頂面、１２５…第２対向隙間
２１１…第１刃片対向面、２１２…第１対向面接触部、２１３…第１対向面離間部
２２１…第２刃片対向面、２２２…第２対向面接触部、２２３…第２対向面離間部
３１１…第１刃片対向面、３１２…第１対向面接触部、３１３…第１対向面離間部
３２１…第２刃片対向面、３２２…第２対向面接触部、３２３…第２対向面離間部
４１１…第１刃片対向面、４１２…第１対向面接触部、４１３…第１対向面離間部
４２１…第２刃片対向面、４２２…第２対向面接触部、４２３…第２対向面離間部
５２１…第２刃片対向面、５２２…第２対向面接触部、５２３…第２対向面離間部
６０１…結合部本体部
７０１…結合部本体部、７０１Ａ…第１結合部本体部、７０１Ｂ…第２結合部本体部
８１４…第１結合部頂面、８２４…第１結合部頂面
ＤＸ…内刃長手方向、ＤＸＲ…右方向、ＤＸＬ…左方向
ＤＹ…内刃高さ方向、ＤＹＴ…上方向、ＤＹＢ…下方向
ＤＺ…内刃奥行方向、ＤＺＦ…前方向、ＤＺＲ…後方向
【図１】
2014108161.tif 000003
【図２】
2014108161.tif 000004
【図３】
2014108161.tif 000005
【図４】
2014108161.tif 000006
【図５】
2014108161.tif 000007
【図６】
2014108161.tif 000008
【図７】
2014108161.tif 000009
【図８】
2014108161.tif 000010
【図９】
2014108161.tif 000011
【図１０】
2014108161.tif 000012
【図１１】
2014108161.tif 000013
【図１２】
2014108161.tif 000014
【図１３】
2014108161.tif 000015
【図１４】
2014108161.tif 000016
【図１５】
2014108161.tif 000017
【図１６】
2014108161.tif 000018
【図１７】
2014108161.tif 000019
【図１８】
2014108161.tif 000020
【図１９】
2014108161.tif 000021
【図２０】
2014108161.tif 000022